【手続補正書】
【提出日】平成22年9月14日(2010.9.14)
【手続補正１】
【補正対象書類名】特許請求の範囲
【補正対象項目名】請求項１
【補正方法】変更
【補正の内容】
【請求項１】
ミシンであって、
縫製を行なう加工布を展張するための四角枠状の縫製枠で、互いに平行に設けられた一対の長辺部（２５２、２５４）と、長辺部に対して直角方向に設けられ、互いに平行に設けられた一対の短辺部（２５６、２５８）とを有し、一対の長辺部のうちの少なくとも一方が短辺部に対して前後方向にスライド可能に形成された縫製枠（２５０）と、
該縫製枠を前後方向及び左右方向に駆動する縫製枠駆動部で、縫製枠を前後方向に駆動する前後方向駆動部（２７０）と、縫製枠を左右方向に駆動する左右方向駆動部（３３０）とを有し、前後方向駆動部が、回転可能に前後方向に設けられた第１ボールネジ（２８６）と、第１ボールネジの第２ボールネジ側とは反対側の端部に接続され、第１ボールネジを回転させる第１モータ（２８４）と、第１ボールネジに螺合し第１ボールネジが回転することにより前後方向に移動し、長辺部の一方に係合する係合部材（２９２）を有する第１移動部材（２８７）と、回転可能に前後方向に設けられ、第１ボールネジと同軸に設けられた第２ボールネジ（３０６）と、第２ボールネジの第１ボールネジ側とは反対側の端部に接続され、第２ボールネジを回転させる第２モータ（３０４）と、第２ボールネジに螺合し第２ボールネジが回転することにより前後方向に移動し、長辺部の他方に係合する係合部材（３１２）を有する第２移動部材（３０７）と、第１ボールネジの第２ボールネジ側の端部と第２ボールネジの第１ボールネジ側の端部の間に設けられ、両側の接続と断続とを切換え可能なクラッチ機構を有する切換え手段（３２６）と、を有し、左右方向駆動部は、一対の短辺部に応じてそれぞれ設けられ、各左右方向駆動部は、短辺部に係合する係合部材（３４２）を有し左右方向に移動可能に設けられた第３移動部材（３３７）と、第３移動部材を左右方向に移動させる第３モータ（３３４）とを有する縫製枠駆動部（２６０）と、
各モータの動作を制御する制御回路で、縫製枠に加工布を展張する際には、切換え手段を断続状態として、一対の長辺部間の距離を縮め、加工布を縫製枠に装着した後に一対の長辺部間の距離を長くして加工布を展張するように第１モータ及び／又は第２モータの動作の制御を行ない、加工布が縫製枠に展張されたら、一対の長辺部間の距離を長くするために駆動されていたモータの駆動を停止し、切換え手段を接続状態とし、また、縫製動作の際には、第１ボールネジと第２ボールネジとが同じ方向に回転して第１移動部材と第２移動部材とが同じ方向に移動するように第１モータと第２モータとを同期して制御し、第３移動部材が同じ方向に移動するように、短辺部の一方の側の左右方向駆動部の第３モータと短辺部の他方の側の左右方向駆動部の第３モータとを同期して制御する制御回路（２００）と、
を有することを特徴とするミシン。
【手続補正２】
【補正対象書類名】特許請求の範囲
【補正対象項目名】請求項３
【補正方法】変更
【補正の内容】
【請求項３】
ミシンであって、
縫製を行なう加工布を展張するための四角枠状の縫製枠で、互いに平行に設けられた一対の長辺部（５２、５４）と、長辺部に対して直角方向に設けられ、互いに平行に設けられた一対の短辺部（５６、５８）とを有する縫製枠（５０）と、
該縫製枠を前後方向及び左右方向に駆動する縫製枠駆動部で、縫製枠を前後方向に駆動する前後方向駆動部（７０）と、縫製枠を左右方向に駆動する左右方向駆動部（１３０）とを有し、前後方向駆動部が、回転可能に前後方向に設けられた第１ボールネジ（８６）と、第１ボールネジの第２ボールネジ側とは反対側の端部に接続され、第１ボールネジを回転させる第１モータ（８４）と、第１ボールネジに螺合し第１ボールネジが回転することにより前後方向に移動し、長辺部の一方に係合する係合部材（９２）を有する第１移動部材（８７）と、回転可能に前後方向に設けられ、第１ボールネジと同軸に設けられた第２ボールネジ（１０６）と、第２ボールネジの第１ボールネジ側とは反対側の端部に接続され、第２ボールネジを回転させる第２モータ（１０４）と、第２ボールネジに螺合し第２ボールネジが回転することにより前後方向に移動し、長辺部の他方に係合する係合部材（１１２）を有する第２移動部材（１０７）と、第１ボールネジの第２ボールネジ側の端部と第２ボールネジの第１ボールネジ側の端部の間を連結する連結部材（１２４）と、を有し、左右方向駆動部は、一対の短辺部に応じてそれぞれ設けられ、各左右方向駆動部は、短辺部に係合する係合部材（１４２）を有し左右方向に移動可能に設けられた第３移動部材（１３７）と、第３移動部材を左右方向に移動させる第３モータ（１３４）とを有する縫製枠駆動部（６０）と、
各モータの動作を制御する制御回路で、第１ボールネジと第２ボールネジとが同じ方向に回転して第１移動部材と第２移動部材とが同じ方向に移動するように第１モータと第２モータとを同期して制御し、第３移動部材が同じ方向に移動するように、短辺部の一方の側の左右方向駆動部の第３モータと短辺部の他方の側の左右方向駆動部の第３モータとを同期して制御する制御回路（２００）と、
を有することを特徴とするミシン。
【手続補正３】
【補正対象書類名】特許請求の範囲
【補正対象項目名】請求項６
【補正方法】変更
【補正の内容】
【請求項６】
ミシンであって、
縫製を行なう加工布を展張するための四角枠状の縫製枠で、互いに平行に設けられた一対の長辺部（５２、５４）と、長辺部に対して直角方向に設けられ、互いに平行に設けられた一対の短辺部（５６、５８）とを有する縫製枠と、
該縫製枠を前後方向及び左右方向に駆動する縫製枠駆動部で、縫製枠を前後方向に駆動する前後方向駆動部（１４０）と、縫製枠を左右方向に駆動する左右方向駆動部（１９５）とを有し、前後方向駆動部が、前後方向に周回可能に設けられた第１タイミングベルト（１６２）と、第１タイミングベルトを周回させる第１モータ（１５８）と、第１タイミングベルトに固定され第１タイミングベルトが周回することにより前後方向に移動し、一方の長辺部に係合する係合部材を有する第１移動部材（１６３）と、前後方向に周回可能に設けられ、第１タイミングベルトの周回路の延長線上にその周回路が設けられた第２タイミングベルト（１８２）と、第２タイミングベルトを周回させる第２モータ（１７８）と、第２タイミングベルトに固定され第２タイミングベルトが周回することにより前後方向に移動し、他方の長辺部に係合する係合部材を有する第２移動部材（１８３）と、第１移動部材と第２移動部材間に設けられた棒状の連結部材（１９０）と、を有し、左右方向駆動部は、一対の短辺部にそれぞれ設けられ、各左右方向駆動部は、短辺部に係合する係合部材（１９５−１８）を有し左右方向に移動可能に設けられた第３移動部材（１９５−１３）と、第３移動部材を左右方向に移動させる第３モータ（１９５−８）とを有し、第３モータにより駆動されるボールネジ機構又はタイミングベルト機構により第３移動部材が移動される縫製枠駆動部（６０）と、
各モータの動作を制御する制御回路で、第１タイミングベルトと第２タイミングベルトとが同じ方向に回転して第１移動部材と第２移動部材とが同じ方向に移動するように第１モータと第２モータとを同期して制御し、第３移動部材が同じ方向に移動するように、短辺部の一方の側の左右方向駆動部の第３モータと短辺部の他方の側の左右方向駆動部の第３モータとを同期して制御する制御回路（２００）と、
を有することを特徴とするミシン。
【手続補正４】
【補正対象書類名】明細書
【補正対象項目名】００１３
【補正方法】変更
【補正の内容】
【００１３】
本発明は上記問題点を解決するために創作されたものであって、第１には、ミシンであって、縫製を行なう加工布を展張するための四角枠状の縫製枠で、互いに平行に設けられた一対の（枠状の）長辺部（２５２、２５４）と、長辺部に対して直角方向に設けられ、互いに平行に設けられた一対の（枠状の）短辺部（２５６、２５８）とを有し、一対の長辺部のうちの少なくとも一方が短辺部に対して前後方向にスライド可能に形成された縫製枠（２５０）と、該縫製枠を前後方向及び左右方向に駆動する縫製枠駆動部で、縫製枠を前後方向に駆動する前後方向駆動部（２７０）と、縫製枠を左右方向に駆動する左右方向駆動部（３３０）とを有し、前後方向駆動部が、回転可能に前後方向に設けられた第１ボールネジ（２８６）と、第１ボールネジの第２ボールネジ側とは反対側の端部に接続され、第１ボールネジを回転させる第１モータ（２８４）と、第１ボールネジに螺合し第１ボールネジが回転することにより前後方向に移動し、長辺部の一方に係合する係合部材（２９２）を有する第１移動部材（２８７）と、回転可能に前後方向に設けられ、第１ボールネジと同軸に設けられた第２ボールネジ（３０６）と、第２ボールネジの第１ボールネジ側とは反対側の端部に接続され、第２ボールネジを回転させる第２モータ（３０４）と、第２ボールネジに螺合し第２ボールネジが回転することにより前後方向に移動し、長辺部の他方に係合する係合部材（３１２）を有する第２移動部材（３０７）と、第１ボールネジの第２ボールネジ側の端部と第２ボールネジの第１ボールネジ側の端部の間に設けられ、両側の接続と断続とを切換え可能なクラッチ機構を有する切換え手段（３２６）と、を有し、左右方向駆動部は、一対の短辺部に応じてそれぞれ設けられ、各左右方向駆動部は、短辺部に係合する係合部材（３４２）を有し左右方向に移動可能に設けられた第３移動部材（３３７）と、第３移動部材を左右方向に移動させる第３モータ（３３４）とを有する縫製枠駆動部（２６０）と、各モータの動作を制御する制御回路で、縫製枠に加工布を展張する際には、切換え手段を断続状態として、一対の長辺部間の距離を縮め、加工布を縫製枠に装着した後に一対の長辺部間の距離を長くして加工布を展張するように第１モータ及び／又は第２モータの動作の制御を行ない、加工布が縫製枠に展張されたら、一対の長辺部間の距離を長くするために駆動されていたモータの駆動を停止し、切換え手段を接続状態とし、また、縫製動作の際には、第１ボールネジと第２ボールネジとが同じ方向に回転して第１移動部材と第２移動部材とが同じ方向に移動するように第１モータと第２モータとを同期して制御し、第３移動部材が同じ方向に移動するように、短辺部の一方の側の左右方向駆動部の第３モータと短辺部の他方の側の左右方向駆動部の第３モータとを同期して制御する制御回路（２００）と、を有することを特徴とする。
【手続補正５】
【補正対象書類名】明細書
【補正対象項目名】００２４
【補正方法】変更
【補正の内容】
【００２４】
また、第３には、ミシンであって、縫製を行なう加工布を展張するための四角枠状の縫製枠で、互いに平行に設けられた一対の（枠状の）長辺部（５２、５４）と、長辺部に対して直角方向に設けられ、互いに平行に設けられた一対の（枠状の）短辺部（５６、５８）とを有する縫製枠（５０）と、該縫製枠を前後方向及び左右方向に駆動する縫製枠駆動部で、縫製枠を前後方向に駆動する前後方向駆動部（７０）と、縫製枠を左右方向に駆動する左右方向駆動部（１３０）とを有し、前後方向駆動部が、前後方向に回転可能に設けられた第１ボールネジ（８６）と、第１ボールネジの第２ボールネジ側とは反対側の端部に接続され、第１ボールネジを回転させる第１モータ（８４）と、第１ボールネジに螺合し第１ボールネジが回転することにより前後方向に移動し、長辺部の一方に係合する係合部材（９２）を有する第１移動部材（８７）と、前後方向に回転可能に設けられ、第１ボールネジと同軸に設けられた第２ボールネジ（１０６）と、第２ボールネジの第１ボールネジ側とは反対側の端部に接続され、第２ボールネジを回転させる第２モータ（１０４）と、第２ボールネジに螺合し第２ボールネジが回転することにより前後方向に移動し、長辺部の他方に係合する係合部材（１１２）を有する第２移動部材（１０７）と、第１ボールネジの第２ボールネジ側の端部と第２ボールネジの第１ボールネジ側の端部の間を連結する連結部材（１２４）と、を有し、左右方向駆動部は、一対の短辺部に応じてそれぞれ設けられ、各左右方向駆動部は、短辺部に係合する係合部材（１４２）を有し左右方向に移動可能に設けられた第３移動部材（１３７）と、第３移動部材を左右方向に移動させる第３モータ（１３４）とを有し、第３モータにより駆動されるボールネジ機構又はタイミングベルト機構により第３移動部材が移動される縫製枠駆動部（６０）と、各モータの動作を制御する制御回路で、第１ボールネジと第２ボールネジとが同じ方向に回転して第１移動部材と第２移動部材とが同じ方向に移動するように第１モータと第２モータとを同期して制御し、第３移動部材が同じ方向に移動するように、短辺部の一方の側の左右方向駆動部の第３モータと短辺部の他方の側の左右方向駆動部の第３モータとを同期して制御する制御回路（２００）と、を有することを特徴とする。
【手続補正６】
【補正対象書類名】明細書
【補正対象項目名】００３６
【補正方法】変更
【補正の内容】
【００３６】
また、第６には、ミシンであって、縫製を行なう加工布を展張するための四角枠状の縫製枠で、互いに平行に設けられた一対の（枠状の）長辺部（５２、５４）と、長辺部に対して直角方向に設けられ、互いに平行に設けられた一対の（枠状の）短辺部（５６、５８）とを有する縫製枠と、該縫製枠を前後方向及び左右方向に駆動する縫製枠駆動部で、縫製枠を前後方向に駆動する前後方向駆動部（１４０）と、縫製枠を左右方向に駆動する左右方向駆動部（１９５）とを有し、前後方向駆動部が、前後方向に周回可能に設けられた第１タイミングベルト（１６２）と、第１タイミングベルトを周回させる第１モータ（１５８）と、第１タイミングベルトに固定され第１タイミングベルトが周回することにより前後方向に移動し、一方の長辺部に係合する係合部材を有する第１移動部材（１６３）と、前後方向に周回可能に設けられ、第１タイミングベルトの周回路の延長線上にその周回路が設けられた第２タイミングベルト（１８２）と、第２タイミングベルトを周回させる第２モータ（１７８）と、第２タイミングベルトに固定され第２タイミングベルトが周回することにより前後方向に移動し、他方の長辺部に係合する係合部材を有する第２移動部材（１８３）と、第１移動部材と第２移動部材間に設けられた棒状の連結部材（１９０）と、を有し、左右方向駆動部は、一対の短辺部にそれぞれ設けられ、各左右方向駆動部は、短辺部に係合する係合部材（１９５−１８）を有し左右方向に移動可能に設けられた第３移動部材（１９５−１３）と、第３移動部材を左右方向に移動させる第３モータ（１９５−８）とを有し、第３モータにより駆動されるボールネジ機構又はタイミングベルト機構により第３移動部材が移動される縫製枠駆動部（６０）と、各モータの動作を制御する制御回路で、第１タイミングベルトと第２タイミングベルトとが同じ方向に回転して第１移動部材と第２移動部材とが同じ方向に移動するように第１モータと第２モータとを同期して制御し、第３移動部材が同じ方向に移動するように、短辺部の一方の側の左右方向駆動部の第３モータと短辺部の他方の側の左右方向駆動部の第３モータとを同期して制御する制御回路（２００）と、を有することを特徴とする。